(57)【特許請求の範囲】
【請求項１】
データが記録されたＣＤ−ＲＯＭ規格の記録媒体を再生し出力する再生手段と、
入力されたデータを外部に出力できる形に順次変換して出力する１つ以上の出力手段と、
前記再生手段により再生されたデータを一旦内部に蓄え、前記記録媒体の再生終了後に必要に応じて処理する処理手段と、
前記再生手段により再生するデータを前記出力手段に出力するのか、前記処理手段に出力するのかを判別する出力先判別手段と、
前記再生手段が一定時間、前記出力手段および前記処理手段に再生されたデータを出力しなかったことを知らせる通知信号を出力するタイマ部と、
前記出力先判別手段が、記録媒体内のデータを前記出力手段へ出力すると判別した場合には、第１の再生速度で記録媒体を再生するように前記再生手段を制御し、前記第１の再生速度で再生を行った後以外に、前記出力先判別手段が記録媒体内のデータを前記処理手段へ出力すると判別した場合には、前記第１の再生速度より速い第２の再生速度で記録媒体を再生するように前記再生手段を制御し、前記第１の再生速度で再生を行った後に、前記出力先判別手段が記録媒体内のデータを前記処理手段へ出力すると判別した場合には、前記第１の再生速度よりも速く前記第２の再生速度よりも遅い第３の再生速度で前記記録媒体を再生するように前記再生手段を制御する再生速度制御手段とを備え、
前記再生速度制御手段は、前記タイマ部から出力された通知信号を受けた後に、前記出力先判別手段が記録媒体内のデータを前記処理手段へ出力すると判別した場合には、前記第３の再生速度よりも速く前記第２の再生速度よりも遅い第４の再生速度で前記記録媒体を再生するように前記再生手段を制御し、また、前記再生手段がエラー訂正情報（ＥＣＣ）を持っているデータを再生する場合には、前記第２の再生速度としてデータ再生装置が実現可能な最大の再生速度を用い、エラー訂正情報がないフォーマットのデータを再生する場合には、前記第２の再生速度としてデータ再生装置が実現可能な最大の再生速度よりも低い再生速度を用いる、
ことを特徴とするデータ再生装置。
【請求項２】
データが記録されたＣＤ−ＲＯＭ規格の記録媒体を再生し出力する再生手段と、
入力されたデータを外部に出力できる形に順次変換して出力する１つ以上の出力手段と、
前記再生手段により再生されたデータを一旦内部に蓄え、前記記録媒体の再生終了後に必要に応じて処理する処理手段と、
前記再生手段により再生するデータを前記出力手段に出力するのか、前記処理手段に出力するのかを判別する出力先判別手段と、
前記再生手段が一定時間、再生されたデータを前記出力手段に出力しなかったことを知らせる通知信号を出力するタイマ部と、
前記出力先判別手段が、記録媒体内のデータを前記出力手段へ出力すると判別した場合には、第１の再生速度で記録媒体を再生するように前記再生手段を制御し、前記第１の再生速度で再生を行った後以外に、前記出力先判別手段が記録媒体内のデータを前記処理手段へ出力すると判別した場合には、前記第１の再生速度より速い第２の再生速度で記録媒体を再生するように前記再生手段を制御し、前記第１の再生速度で再生を行った後に、前記出力先判別手段が記録媒体内のデータを前記処理手段へ出力すると判別した場合には、前記第１の再生速度よりも速く前記第２の再生速度よりも遅い第３の再生速度で前記記録媒体を再生するように前記再生手段を制御する再生速度制御手段とを備え、
前記再生速度制御手段は、前記タイマ部から出力された通知信号を受けた後に、前記出力先判別手段が記録媒体内のデータを前記処理手段へ出力すると判別した場合には、前記第３の再生速度よりも速く前記第２の再生速度よりも遅い第４の再生速度で前記記録媒体を再生するように前記再生手段を制御し、また、前記再生手段がエラー訂正情報（ＥＣＣ）を持っているデータを再生する場合には、前記第２の再生速度としてデータ再生装置が実現可能な最大の再生速度を用い、エラー訂正情報がないフォーマットのデータを再生する場合には、前記第２の再生速度としてデータ再生装置が実現可能な最大の再生速度よりも低い再生速度を用いる、
ことを特徴とするデータ再生装置。
【請求項３】
請求項１、又は請求項２に記載のデータ再生装置において、
前記第３の再生速度は、前記第１の再生速度とほぼ同じ速度である、
ことを特徴とするデータ再生装置。
【請求項４】
請求項１、又は請求項２に記載のデータ再生装置において、
記録媒体を再生装置内部に再生可能な状態に設置、及び再生装置外部に排出する記録媒体移動手段と、
前記記録媒体移動手段により記録媒体を排出、再設置したことを検出する記録媒体交換検出手段とをさらに備え、
前記再生速度制御手段は、前記記録媒体交換検出手段が記録媒体の交換を検出した後に、前記出力先判別手段が記録媒体内のデータを前記処理手段へ出力すると判別した場合には、前記第２の再生速度で記録媒体を再生するように前記再生手段を制御する、
ことを特徴とするデータ再生装置。
【請求項５】
請求項１、又は請求項２に記載のデータ再生装置において、
前記第４の再生速度は、前記第２の再生速度とほぼ等しい速度である、
ことを特徴とするデータ再生装置。
【請求項６】
請求項１、又は請求項２に記載のデータ再生装置において、
ディスクは、同心円状もしくは螺旋状に形成されたトラックにデータが角速度一定で記録されており、ディスク回転速度を変化させることによって、再生速度を切り替える、
ことを特徴とするデータ再生装置。
【請求項７】
請求項１、又は請求項２に記載のデータ再生装置において、
ディスクは、同心円状もしくは螺旋状に形成されたトラックにデータが線速度一定で記録されており、再生線速度もしくはディスク回転速度を変化させることによって、再生速度を切り替える、
ことを特徴とするデータ再生装置。
【請求項８】
データが記録されたＣＤ−ＲＯＭ規格の記録媒体を再生し出力する再生ステップと、
入力されたデータを外部に出力できる形に順次変換して出力する１つ以上の出力ステップと、
前記再生ステップにより再生されたデータを一旦内部に蓄え、前記記録媒体の再生終了後に必要に応じて処理する処理ステップと、
前記再生ステップにより再生するデータを前記出力ステップに出力するのか、前記処理ステップに出力するのかを判別する出力先判別ステップと、
前記再生手段が一定時間、前記出力手段および前記処理手段に再生されたデータを出力しなかったことを知らせる通知信号を出力するタイマステップと、
前記出力先判別ステップが、記録媒体内のデータを前記出力ステップへ出力すると判別した場合には、第１の再生速度で記録媒体を再生するように前記再生ステップを制御し、前記第１の再生速度で再生を行った後以外に、前記出力先判別ステップが記録媒体内のデータを前記処理ステップへ出力すると判別した場合には、前記第１の再生速度より速い第２の再生速度で記録媒体を再生するように前記再生ステップを制御し、前記第１の再生速度で再生を行った後に、前記出力先判別ステップが記録媒体内のデータを前記処理ステップへ出力すると判別した場合には、前記第１の再生速度よりも速く前記第２の再生速度よりも遅い第３の再生速度で前記記録媒体を再生するように前記再生ステップを制御する再生速度制御ステップとを有し、
前記再生速度制御ステップは、前記タイマステップから出力された通知信号を受けた後に、前記出力先判別ステップが記録媒体内のデータを前記処理ステップへ出力すると判別した場合には、前記第３の再生速度よりも速く前記第２の再生速度よりも遅い第４の再生速度で前記記録媒体を再生するように前記再生ステップを制御し、また、前記再生ステップがエラー訂正情報（ＥＣＣ）を持っているデータを再生する場合には、前記第２の再生速度としてデータ再生装置が実現可能な最大の再生速度を用い、エラー訂正情報がないフォーマットのデータを再生する場合には、前記第２の再生速度としてデータ再生装置が実現可能な最大の再生速度よりも低い再生速度を用いる、
ことを特徴とするデータ再生方法。
【請求項９】
データが記録されたＣＤ−ＲＯＭ規格の記録媒体を再生し出力する再生ステップと、
入力されたデータを外部に出力できる形に順次変換して出力する１つ以上の出力ステップと、
前記再生ステップにより再生されたデータを一旦内部に蓄え、前記記録媒体の再生終了後に必要に応じて処理する処理ステップと、
前記再生ステップにより再生するデータを前記出力ステップに出力するのか、前記処理ステップに出力するのかを判別する出力先判別ステップと、
前記再生手段が一定時間、再生されたデータを前記出力手段に出力しなかったことを知らせる通知信号を出力するタイマステップと、
前記出力先判別ステップが、記録媒体内のデータを前記出力ステップへ出力すると判別した場合には、第１の再生速度で記録媒体を再生するように前記再生ステップを制御し、前記第１の再生速度で再生を行った後以外に、前記出力先判別ステップが記録媒体内のデータを前記処理ステップへ出力すると判別した場合には、前記第１の再生速度より速い第２の再生速度で記録媒体を再生するように前記再生ステップを制御し、前記第１の再生速度で再生を行った後に、前記出力先判別ステップが記録媒体内のデータを前記処理ステップへ出力すると判別した場合には、前記第１の再生速度よりも速く前記第２の再生速度よりも遅い第３の再生速度で前記記録媒体を再生するように前記再生ステップを制御する再生速度制御ステップとを有し、
前記再生速度制御ステップは、前記タイマステップから出力された通知信号を受けた後に、前記出力先判別ステップが記録媒体内のデータを前記処理ステップへ出力すると判別した場合には、前記第３の再生速度よりも速く前記第２の再生速度よりも遅い第４の再生速度で前記記録媒体を再生するように前記再生ステップを制御し、また、前記再生ステップがエラー訂正情報（ＥＣＣ）を持っているデータを再生する場合には、前記第２の再生速度としてデータ再生装置が実現可能な最大の再生速度を用い、エラー訂正情報がないフォーマットのデータを再生する場合には、前記第２の再生速度としてデータ再生装置が実現可能な最大の再生速度よりも低い再生速度を用いる、
ことを特徴とするデータ再生方法。
【請求項１０】
請求項８、又は請求項９に記載のデータ再生方法において、
記録媒体を再生装置内部に再生可能な状態に設置、及び再生装置外部に排出する記録媒体移動ステップと、
前記記録媒体移動ステップにより記録媒体を排出、再設置したことを検出する記録媒体交換検出ステップとをさらに備え、
前記再生速度制御ステップは、前記記録媒体交換検出ステップが記録媒体の交換を検出した後に、前記出力先判別ステップが記録媒体内のデータを前記処理ステップへ出力すると判別した場合には、前記第２の再生速度で記録媒体を再生するように前記再生手段を制御する、
ことを特徴とするデータ再生方法。
【請求項１１】
請求項８記載のデータ再生方法を行なうためのプログラムを格納した記録媒体であって、
上記プログラムは、
データが記録されたＣＤ−ＲＯＭ規格の記録媒体を再生し出力する再生ステップと、
入力されたデータを外部に出力できる形に順次変換して出力する１つ以上の出力ステップと、
前記再生ステップにより再生されたデータを一旦内部に蓄え、前記記録媒体の再生終了後に必要に応じて処理する処理ステップと、
前記再生ステップにより再生するデータを前記出力ステップに出力するのか、前記処理ステップに出力するのかを判別する出力先判別ステップと、
前記再生手段が一定時間、前記出力手段および前記処理手段に再生されたデータを出力しなかったことを知らせる通知信号を出力するタイマステップと、
前記出力先判別ステップが、記録媒体内のデータを前記出力ステップへ出力すると判別した場合には、第１の再生速度で記録媒体を再生するように前記再生ステップを制御し、前記第１の再生速度で再生を行った後以外に、前記出力先判別ステップが記録媒体内のデータを前記処理ステップへ出力すると判別した場合には、前記第１の再生速度より速い第２の再生速度で記録媒体を再生するように前記再生ステップを制御し、前記第１の再生速度で再生を行った後に、前記出力先判別ステップが記録媒体内のデータを前記処理ステップへ出力すると判別した場合には、前記第１の再生速度よりも速く前記第２の再生速度よりも遅い第３の再生速度で前記記録媒体を再生するように前記再生ステップを制御する再生速度制御ステップとを有し、
前記再生速度制御ステップは、前記タイマステップから出力された通知信号を受けた後に、前記出力先判別ステップが記録媒体内のデータを前記処理ステップへ出力すると判別した場合には、前記第３の再生速度よりも速く前記第２の再生速度よりも遅い第４の再生速度で前記記録媒体を再生するように前記再生ステップを制御し、また、前記再生ステップがエラー訂正情報（ＥＣＣ）を持っているデータを再生する場合には、前記第２の再生速度としてデータ再生装置が実現可能な最大の再生速度を用い、エラー訂正情報がないフォーマットのデータを再生する場合には、前記第２の再生速度としてデータ再生装置が実現可能な最大の再生速度よりも低い再生速度を用いる、
ことを特徴とする記録媒体。
【請求項１２】
請求項９記載のデータ再生方法を行なうためのプログラムを格納した記録媒体であって、
上記プログラムは、
データが記録されたＣＤ−ＲＯＭ規格の記録媒体を再生し出力する再生ステップと、
入力されたデータを外部に出力できる形に順次変換して出力する１つ以上の出力ステップと、
前記再生ステップにより再生されたデータを一旦内部に蓄え、前記記録媒体の再生終了後に必要に応じて処理する処理ステップと、
前記再生ステップにより再生するデータを前記出力ステップに出力するのか、前記処理ステップに出力するのかを判別する出力先判別ステップと、
前記再生手段が一定時間、再生されたデータを前記出力手段に出力しなかったことを知らせる通知信号を出力するタイマステップと、
前記出力先判別ステップが、記録媒体内のデータを前記出力ステップへ出力すると判別した場合には、第１の再生速度で記録媒体を再生するように前記再生ステップを制御し、前記第１の再生速度で再生を行った後以外に、前記出力先判別ステップが記録媒体内のデータを前記処理ステップへ出力すると判別した場合には、前記第１の再生速度より速い第２の再生速度で記録媒体を再生するように前記再生ステップを制御し、前記第１の再生速度で再生を行った後に、前記出力先判別ステップが記録媒体内のデータを前記処理ステップへ出力すると判別した場合には、前記第１の再生速度よりも速く前記第２の再生速度よりも遅い第３の再生速度で前記記録媒体を再生するように前記再生ステップを制御する再生速度制御ステップとを有し、
前記再生速度制御ステップは、前記タイマステップから出力された通知信号を受けた後に、前記出力先判別ステップが記録媒体内のデータを前記処理ステップへ出力すると判別した場合には、前記第３の再生速度よりも速く前記第２の再生速度よりも遅い第４の再生速度で前記記録媒体を再生するように前記再生ステップを制御し、また、前記再生ステップがエラー訂正情報（ＥＣＣ）を持っているデータを再生する場合には、前記第２の再生速度としてデータ再生装置が実現可能な最大の再生速度を用い、エラー訂正情報がないフォーマットのデータを再生する場合には、前記第２の再生速度としてデータ再生装置が実現可能な最大の再生速度よりも低い再生速度を用いる、
ことを特徴とする記録媒体。
【発明の詳細な説明】
【０００１】
【発明の属する技術分野】
本発明はコンパクトディスク、ディジタルオーディオテープ、光学式ビデオディスクなどのデータが記録された記録媒体を再生するデータ再生装置に関し、特に、データが記録された記録媒体の再生速度の制御に関する。
【０００２】
【従来の技術】
近年、記録媒体には、その規格により音声信号や映像信号と、通常のプログラムや文字データなどのデータが混在するものがある。たとえば、第１トラックにＣＤ−ＲＯＭ規格のデータである通常のプログラムなどのデータを、第２トラック以降にＣＤ−ＤＡ規格の音声データである音声データを記録するＭＩＸ  ＭＯＤＥや、マルチセッションで記録を行い、第１のセッションにＣＤ−ＤＡ規格の音声データである音声データを、第２のセッション以降にＣＤ−ＲＯＭ規格のデータである通常のプログラム等のデータを記録するＣＤ−ＥＸＴＲＡ方式などのディスクが一般的にあり、これらの記録媒体を再生するためのデータ再生装置も広く普及している。
【０００３】
以下、前述したデータ再生装置の一例について説明する。
このデータ再生装置としては、特公平７−７５７９号に開示されている「データ再生装置とデータ再生方法」が一般的である。このデータ再生装置は、再生されたデータを音声信号、映像信号などの外部に出力できる形に順次変換して出力する場合には、第１の再生速度によりデータが記録された記録媒体を再生する。一方、通常のプログラムなどの再生されたデータを一旦、データ再生装置内部に蓄え、再生終了後に必要に応じて処理し、外部に出力する場合には、前記第１の再生速度よりも速い第２の再生速度で再生を行う。
【０００４】
再生されたデータを外部に出力できる形に順次変換して出力する場合には、通常、音声信号や映像信号が記録された記録媒体の規格によりデータの記録速度が決まっているので、記録媒体のフォーマットで決まった再生速度を第１の再生速度として再生するか、若しくは記録媒体のフォーマットで決まった再生速度よりも若干速い再生速度を第１の再生速度として再生を行い、読み取ったデータを一旦、データ再生装置内のバッファメモリに蓄え、蓄えられたデータを順次音声信号、映像信号などの外部に出力できる形に変換するものが一般的である。
【０００５】
一方、再生されたデータを一旦、データ再生装置内部に蓄え、再生終了後に必要に応じて処理し、外部に出力する場合には、第２の再生速度としてデータ再生装置が実現可能な最大の再生速度で再生を行い、高速にデータを読み取ってデータ再生装置内部に蓄積するものが一般的である。
【０００６】
【発明が解決しようとする課題】
しかしながら、近年データ再生装置は高速化の一途をたどっており、それに伴い、ＣＤ−ＲＯＭ等のディスクの回転速度も非常に速くなってきている。この結果、音声信号や映像信号を順次再生する場合の前記第１の再生速度と、データを一旦、データ再生装置内部に蓄積する場合の前記第２の再生速度との速度差が非常に大きくなってきている。
【０００７】
そのため、記録媒体に記録された音声データなどの第１の再生速度により再生するデータと通常のプログラムデータなどの第２の再生速度で再生するデータが混在し、再生速度の切り替えが必要な場合には、急速な再生速度の変化が必要となり、発熱、消費電力増加の原因となると共に、音声データが再生されるまでの時間の増大の原因となっている。
【０００８】
また、このような、第１の再生速度により再生するデータと、第２の再生速度により再生するデータが混在して記録されている記録媒体でも、第２の再生速度により再生するデータを読み取ったあと第１の再生速度により再生するデータを再生しない場合や第１の再生速度により再生するデータを再生する頻度が非常に低い場合、逆に第１の再生速度により再生するデータを再生したあと第２の再生速度により再生するデータを読み取らない場合や、第２の再生速度により再生するデータを読み取る頻度が非常に低い場合があり、これらの記録媒体に記録されたデータの再生頻度に応じてディスクの再生速度を制御するデータ再生装置はなかった。
【０００９】
本発明は上記問題点に鑑みてなされたものであり、データの再生頻度に応じて、データ再生装置の消費電力や発熱を抑えて、ドライブの総合的なパフォーマンスを向上させるデータ再生装置、及びデータ再生方法を提供することを目的とする。
【００１０】
【課題を解決するための手段】
上記問題点を解決するために、本発明の請求項１に記載のデータ再生装置は、データが記録されたＣＤ−ＲＯＭ規格の記録媒体を再生し出力する再生手段と、入力されたデータを外部に出力できる形に順次変換して出力する１つ以上の出力手段と、前記再生手段により再生されたデータを一旦内部に蓄え、前記記録媒体の再生終了後に必要に応じて処理する処理手段と、前記再生手段により再生するデータを前記出力手段に出力するのか、前記処理手段に出力するのかを判別する出力先判別手段と、前記再生手段が一定時間、前記出力手段および前記処理手段に再生されたデータを出力しなかったことを知らせる通知信号を出力するタイマ部と、前記出力先判別手段が、記録媒体内のデータを前記出力手段へ出力すると判別した場合には、第１の再生速度で記録媒体を再生するように前記再生手段を制御し、前記第１の再生速度で再生を行った後以外に、前記出力先判別手段が記録媒体内のデータを前記処理手段へ出力すると判別した場合には、前記第１の再生速度より速い第２の再生速度で記録媒体を再生するように前記再生手段を制御し、前記第１の再生速度で再生を行った後に、前記出力先判別手段が記録媒体内のデータを前記処理手段へ出力すると判別した場合には、前記第１の再生速度よりも速く前記第２の再生速度よりも遅い第３の再生速度で前記記録媒体を再生するように前記再生手段を制御する再生速度制御手段とを備え、前記再生速度制御手段は、前記タイマ部から出力された通知信号を受けた後に、前記出力先判別手段が記録媒体内のデータを前記処理手段へ出力すると判別した場合には、前記第３の再生速度よりも速く前記第２の再生速度よりも遅い第４の再生速度で前記記録媒体を再生するように前記再生手段を制御し、また、前記再生手段がエラー訂正情報（ＥＣＣ）を持っているデータを再生する場合には、前記第２の再生速度としてデータ再生装置が実現可能な最大の再生速度を用い、エラー訂正情報がないフォーマットのデータを再生する場合には、前記第２の再生速度としてデータ再生装置が実現可能な最大の再生速度よりも低い再生速度を用いるものである。
【００１１】
また、本発明の請求項２に記載のデータ再生装置は、データが記録されたＣＤ−ＲＯＭ規格の記録媒体を再生し出力する再生手段と、入力されたデータを外部に出力できる形に順次変換して出力する１つ以上の出力手段と、前記再生手段により再生されたデータを一旦内部に蓄え、前記記録媒体の再生終了後に必要に応じて処理する処理手段と、前記再生手段により再生するデータを前記出力手段に出力するのか、前記処理手段に出力するのかを判別する出力先判別手段と、前記再生手段が一定時間、再生されたデータを前記出力手段に出力しなかったことを知らせる通知信号を出力するタイマ部と、前記出力先判別手段が、記録媒体内のデータを前記出力手段へ出力すると判別した場合には、第１の再生速度で記録媒体を再生するように前記再生手段を制御し、前記第１の再生速度で再生を行った後以外に、前記出力先判別手段が記録媒体内のデータを前記処理手段へ出力すると判別した場合には、前記第１の再生速度より速い第２の再生速度で記録媒体を再生するように前記再生手段を制御し、前記第１の再生速度で再生を行った後に、前記出力先判別手段が記録媒体内のデータを前記処理手段へ出力すると判別した場合には、前記第１の再生速度よりも速く前記第２の再生速度よりも遅い第３の再生速度で前記記録媒体を再生するように前記再生手段を制御する再生速度制御手段とを備え、前記再生速度制御手段は、前記タイマ部から出力された通知信号を受けた後に、前記出力先判別手段が記録媒体内のデータを前記処理手段へ出力すると判別した場合には、前記第３の再生速度よりも速く前記第２の再生速度よりも遅い第４の再生速度で前記記録媒体を再生するように前記再生手段を制御し、また、前記再生手段がエラー訂正情報（ＥＣＣ）を持っているデータを再生する場合には、前記第２の再生速度としてデータ再生装置が実現可能な最大の再生速度を用い、エラー訂正情報がないフォーマットのデータを再生する場合には、前記第２の再生速度としてデータ再生装置が実現可能な最大の再生速度よりも低い再生速度を用いるものである。
【００１２】
また、本発明の請求項３に記載のデータ再生装置は、請求項１、又は請求項２に記載のデータ再生装置において、前記第３の再生速度が、前記第１の再生速度とほぼ同じ速度であるものである。
【００１３】
また、本発明の請求項４に記載のデータ再生装置は、請求項１、又は請求項２に記載のデータ再生装置において、記録媒体を再生装置内部に再生可能な状態に設置、及び再生装置外部に排出する記録媒体移動手段と、前記記録媒体移動手段により記録媒体を排出、再設置したことを検出する記録媒体交換検出手段とをさらに備え、前記再生速度制御手段は、前記記録媒体交換検出手段が記録媒体の交換を検出した後に、前記出力先判別手段が記録媒体内のデータを前記処理手段へ出力すると判別した場合には、前記第２の再生速度で記録媒体を再生するように前記再生手段を制御するものである。
【００１４】
また、本発明の請求項５に記載のデータ再生装置は、請求項１、又は請求項２に記載のデータ再生装置において、前記第４の再生速度が、前記第２の再生速度とほぼ等しい速度であるものである。
【００１５】
また、本発明の請求項６に記載のデータ再生装置は、請求項１、又は請求項２に記載のデータ再生装置において、ディスクは、同心円状もしくは螺旋状に形成されたトラックにデータが角速度一定で記録されており、ディスク回転速度を変化させることによって、再生速度を切り替えるものである。
【００１６】
また、本発明の請求項７に記載のデータ再生装置は、請求項１、又は請求項２に記載のデータ再生装置において、ディスクは、同心円状もしくは螺旋状に形成されたトラックにデータが線速度一定で記録されており、再生線速度もしくはディスク回転速度を変化させることによって、再生速度を切り替えるものである。
【００１７】
また、本発明の請求項８に記載のデータ再生方法は、データが記録されたＣＤ−ＲＯＭ規格の記録媒体を再生し出力する再生ステップと、入力されたデータを外部に出力できる形に順次変換して出力する１つ以上の出力ステップと、前記再生ステップにより再生されたデータを一旦内部に蓄え、前記記録媒体の再生終了後に必要に応じて処理する処理ステップと、前記再生ステップにより再生するデータを前記出力ステップに出力するのか、前記処理ステップに出力するのかを判別する出力先判別ステップと、前記再生手段が一定時間、前記出力手段および前記処理手段に再生されたデータを出力しなかったことを知らせる通知信号を出力するタイマステップと、前記出力先判別ステップが、記録媒体内のデータを前記出力ステップへ出力すると判別した場合には、第１の再生速度で記録媒体を再生するように前記再生ステップを制御し、前記第１の再生速度で再生を行った後以外に、前記出力先判別ステップが記録媒体内のデータを前記処理ステップへ出力すると判別した場合には、前記第１の再生速度より速い第２の再生速度で記録媒体を再生するように前記再生ステップを制御し、前記第１の再生速度で再生を行った後に、前記出力先判別ステップが記録媒体内のデータを前記処理ステップへ出力すると判別した場合には、前記第１の再生速度よりも速く前記第２の再生速度よりも遅い第３の再生速度で前記記録媒体を再生するように前記再生ステップを制御する再生速度制御ステップとを有し、前記再生速度制御ステップは、前記タイマステップから出力された通知信号を受けた後に、前記出力先判別ステップが記録媒体内のデータを前記処理ステップへ出力すると判別した場合には、前記第３の再生速度よりも速く前記第２の再生速度よりも遅い第４の再生速度で前記記録媒体を再生するように前記再生ステップを制御し、また、前記再生ステップがエラー訂正情報（ＥＣＣ）を持っているデータを再生する場合には、前記第２の再生速度としてデータ再生装置が実現可能な最大の再生速度を用い、エラー訂正情報がないフォーマットのデータを再生する場合には、前記第２の再生速度としてデータ再生装置が実現可能な最大の再生速度よりも低い再生速度を用いるものである。
【００１８】
また、本発明の請求項９に記載のデータ再生方法は、データが記録されたＣＤ−ＲＯＭ規格の記録媒体を再生し出力する再生ステップと、入力されたデータを外部に出力できる形に順次変換して出力する１つ以上の出力ステップと、前記再生ステップにより再生されたデータを一旦内部に蓄え、前記記録媒体の再生終了後に必要に応じて処理する処理ステップと、前記再生ステップにより再生するデータを前記出力ステップに出力するのか、前記処理ステップに出力するのかを判別する出力先判別ステップと、前記再生手段が一定時間、再生されたデータを前記出力手段に出力しなかったことを知らせる通知信号を出力するタイマステップと、前記出力先判別ステップが、記録媒体内のデータを前記出力ステップへ出力すると判別した場合には、第１の再生速度で記録媒体を再生するように前記再生ステップを制御し、前記第１の再生速度で再生を行った後以外に、前記出力先判別ステップが記録媒体内のデータを前記処理ステップへ出力すると判別した場合には、前記第１の再生速度より速い第２の再生速度で記録媒体を再生するように前記再生ステップを制御し、前記第１の再生速度で再生を行った後に、前記出力先判別ステップが記録媒体内のデータを前記処理ステップへ出力すると判別した場合には、前記第１の再生速度よりも速く前記第２の再生速度よりも遅い第３の再生速度で前記記録媒体を再生するように前記再生ステップを制御する再生速度制御ステップとを有し、前記再生速度制御ステップは、前記タイマステップから出力された通知信号を受けた後に、前記出力先判別ステップが記録媒体内のデータを前記処理ステップへ出力すると判別した場合には、前記第３の再生速度よりも速く前記第２の再生速度よりも遅い第４の再生速度で前記記録媒体を再生するように前記再生ステップを制御し、また、前記再生ステップがエラー訂正情報（ＥＣＣ）を持っているデータを再生する場合には、前記第２の再生速度としてデータ再生装置が実現可能な最大の再生速度を用い、エラー訂正情報がないフォーマットのデータを再生する場合には、前記第２の再生速度としてデータ再生装置が実現可能な最大の再生速度よりも低い再生速度を用いるものである。
【００１９】
また、本発明の請求項１０に記載のデータ再生方法は、請求項８、又は請求項９に記載のデータ再生方法において、記録媒体を再生装置内部に再生可能な状態に設置、及び再生装置外部に排出する記録媒体移動ステップと、前記記録媒体移動ステップにより記録媒体を排出、再設置したことを検出する記録媒体交換検出ステップとをさらに備え、前記再生速度制御ステップは、前記記録媒体交換検出ステップが記録媒体の交換を検出した後に、前記出力先判別ステップが記録媒体内のデータを前記処理ステップへ出力すると判別した場合には、前記第２の再生速度で記録媒体を再生するように前記再生手段を制御するものである。
【００２０】
また、本発明の請求項１１に記載の記録媒体は、請求項８記載のデータ再生方法を行なうためのプログラムを格納した記録媒体であって、上記プログラムは、データが記録されたＣＤ−ＲＯＭ規格の記録媒体を再生し出力する再生ステップと、入力されたデータを外部に出力できる形に順次変換して出力する１つ以上の出力ステップと、前記再生ステップにより再生されたデータを一旦内部に蓄え、前記記録媒体の再生終了後に必要に応じて処理する処理ステップと、前記再生ステップにより再生するデータを前記出力ステップに出力するのか、前記処理ステップに出力するのかを判別する出力先判別ステップと、前記再生手段が一定時間、前記出力手段および前記処理手段に再生されたデータを出力しなかったことを知らせる通知信号を出力するタイマステップと、前記出力先判別ステップが、記録媒体内のデータを前記出力ステップへ出力すると判別した場合には、第１の再生速度で記録媒体を再生するように前記再生ステップを制御し、前記第１の再生速度で再生を行った後以外に、前記出力先判別ステップが記録媒体内のデータを前記処理ステップへ出力すると判別した場合には、前記第１の再生速度より速い第２の再生速度で記録媒体を再生するように前記再生ステップを制御し、前記第１の再生速度で再生を行った後に、前記出力先判別ステップが記録媒体内のデータを前記処理ステップへ出力すると判別した場合には、前記第１の再生速度よりも速く前記第２の再生速度よりも遅い第３の再生速度で前記記録媒体を再生するように前記再生ステップを制御する再生速度制御ステップとを有し、前記再生速度制御ステップは、前記タイマステップから出力された通知信号を受けた後に、前記出力先判別ステップが記録媒体内のデータを前記処理ステップへ出力すると判別した場合には、前記第３の再生速度よりも速く前記第２の再生速度よりも遅い第４の再生速度で前記記録媒体を再生するように前記再生ステップを制御し、また、前記再生ステップがエラー訂正情報（ＥＣＣ）を持っているデータを再生する場合には、前記第２の再生速度としてデータ再生装置が実現可能な最大の再生速度を用い、エラー訂正情報がないフォーマットのデータを再生する場合には、前記第２の再生速度としてデータ再生装置が実現可能な最大の再生速度よりも低い再生速度を用いるものである。
【００２１】
また、本発明の請求項１２に記載の記録媒体は、請求項９記載のデータ再生方法を行なうためのプログラムを格納した記録媒体であって、上記プログラムは、データが記録されたＣＤ−ＲＯＭ規格の記録媒体を再生し出力する再生ステップと、入力されたデータを外部に出力できる形に順次変換して出力する１つ以上の出力ステップと、前記再生ステップにより再生されたデータを一旦内部に蓄え、前記記録媒体の再生終了後に必要に応じて処理する処理ステップと、前記再生ステップにより再生するデータを前記出力ステップに出力するのか、前記処理ステップに出力するのかを判別する出力先判別ステップと、前記再生手段が一定時間、再生されたデータを前記出力手段に出力しなかったことを知らせる通知信号を出力するタイマステップと、前記出力先判別ステップが、記録媒体内のデータを前記出力ステップへ出力すると判別した場合には、第１の再生速度で記録媒体を再生するように前記再生ステップを制御し、前記第１の再生速度で再生を行った後以外に、前記出力先判別ステップが記録媒体内のデータを前記処理ステップへ出力すると判別した場合には、前記第１の再生速度より速い第２の再生速度で記録媒体を再生するように前記再生ステップを制御し、前記第１の再生速度で再生を行った後に、前記出力先判別ステップが記録媒体内のデータを前記処理ステップへ出力すると判別した場合には、前記第１の再生速度よりも速く前記第２の再生速度よりも遅い第３の再生速度で前記記録媒体を再生するように前記再生ステップを制御する再生速度制御ステップとを有し、前記再生速度制御ステップは、前記タイマステップから出力された通知信号を受けた後に、前記出力先判別ステップが記録媒体内のデータを前記処理ステップへ出力すると判別した場合には、前記第３の再生速度よりも速く前記第２の再生速度よりも遅い第４の再生速度で前記記録媒体を再生するように前記再生ステップを制御し、また、前記再生ステップがエラー訂正情報（ＥＣＣ）を持っているデータを再生する場合には、前記第２の再生速度としてデータ再生装置が実現可能な最大の再生速度を用い、エラー訂正情報がないフォーマットのデータを再生する場合には、前記第２の再生速度としてデータ再生装置が実現可能な最大の再生速度よりも低い再生速度を用いるものである。
【００２３】
【発明の実施の形態】
（実施の形態１）
以下に、本発明の実施の形態１によるデータ再生装置、及びデータ再生方法について、図１、図２を用いて説明する。なお、本実施の形態では記録媒体として、ＣＤやＣＤ−Ｒなどのディスク状の記録媒体を例にとって説明する。
図１は、本発明の実施の形態１によるデータ再生装置の一例を示したブロック図である。
図１において、１００はデータが記録された記録媒体であり、たとえば、光ディスク、光磁気ディスク、磁気ディスクなどで情報トラックが同心円状または螺旋状に記録されている。また、本発明の実施の形態１によるデータ再生装置は、再生手段１０１と、制御手段１０２と、処理手段１０３と、音声出力手段１０４からなる。
【００２４】
再生手段１０１は、ピックアップ、ＥＦＭ復調回路、エラー訂正回路などにより構成され、ディスク１００に記録されたデータを再生する。制御手段１０２は、再生手段１０１により再生するデータの内容に基づいて出力先を判別する出力先判別手段１０５と、ディスク１００の再生速度を制御する再生速度制御手段１０６を備える。
【００２５】
なお、前記再生手段１０１により再生するデータの内容は、例えば、ディスク１００上のデータに付されたデータの内容を示すヘッダなどや、データ再生装置に対してなされたデータ再生指示の内容から知ることができる。
【００２６】
処理手段１０３は、再生手段１０１により再生されたデータを蓄積するメモリを有し、再生手段１０１により再生されたデータを一旦メモリに蓄え、再生手段１０１による再生終了後に必要に応じて処理を行なう。なお、この処理手段１０３が行なう処理とは、例えば、読み込んだデータが何らかの処理を実行するための処理実行プログラムであればそれを実行したり、圧縮データであればそれを解凍したりする。
【００２７】
音声出力手段１０４は、再生された音声データを順次音声信号に変換して出力する。なお、本実施の形態１では、データ再生装置が出力手段として音声出力手段１０４のみを有するものについて説明するが、これに限定されず、例えば、画像データを再生する画像出力手段等をさらに有するもの等、再生手段１０１により再生されたデータを出力する１以上の出力手段を有するものであれば何でもよい。
【００２８】
次に、動作について説明する。
図２は本発明の実施の形態１によるデータ再生方法を示したフローチャートである。
【００２９】
（ステップＳ１０１）出力先判別手段１０５は、再生手段１０１により再生するデータを処理手段１０３に出力するのか、或いは出力手段である音声出力手段１０４に出力するのかを、再生するデータの内容に基づいて判別する。具体的には、例えば、再生するデータが順次変換して出力するＣＤ−ＤＡ規格の音楽データなどである場合には、出力手段である音声出力手段１０４に出力するデータであると判別し、プログラムなどの処理部１０３に一旦蓄積するデータであるＣＤ−ＲＯＭ規格のデータである場合には、処理手段１０３に出力するデータであると判別する。
出力先判別手段１０５が、再生するデータを出力手段である音声出力手段１０４に出力すると判別した場合には、ステップＳ１０２に行く。一方、出力先判別手段１０５が、再生するデータを処理手段１０３に出力すると判別した場合には、ステップＳ１０４に行く。
【００３０】
（ステップＳ１０２）再生速度制御手段１０６は、第１の再生速度によりディスク１００のデータを再生するように再生手段１０１を制御する。
なお、この第１の再生速度は、予めディスク１００の規格により決められた音声データの再生速度と同一の速度で再生を行うものや、予め決められた再生速度よりも速い速度でデータの再生を行なうものがある。なお、前記予め決められた再生速度よりも速い速度でデータの再生を行なう場合には、読み取ったディスク１００のデータを再生手段１０１が有するバッファメモリ内に蓄え、順次、音声出力手段１０４に予め決められた速度でデータを送り出し、再生を行う。これにより、再生手段１０１が振動等の外的要因や、ディスク１００の欠陥等により一時的にデータの読み出しができなくなった場合でも、前記バッファメモリ内に蓄えられたデータを順次、音声出力手段１０４に送り続けることができ、出力データの途切れを防止することができる。
【００３１】
（ステップＳ１０３）再生手段１０１は、出力先判別手段１０５の指示に基づいて、第１の再生速度により再生されたデータを出力手段である音声出力手段１０４に出力する。
【００３２】
（ステップＳ１０４）再生速度制御手段１０６は、前記第１の再生速度により再生した後であるか否かの判断を行なう。前記第１の速度で再生した後でなければステップＳ１０５に行き、第１の速度で再生後であればステップＳ１０６に行く。なお、再生するデータの前に第１の再生速度によりディスク１００を再生したか否かは、再生速度制御手段１０６が記憶しているものとする。
【００３３】
（ステップＳ１０５）再生速度制御手段１０６は、第２の再生速度によりディスク１００のデータを再生するように再生手段１０１を制御する。
なお、この第２の再生速度は、一般的に、データ再生装置が実現可能な最大の再生速度である。ただし、ＣＤ−ＲＯＭ規格のディスクの場合、プログラムやデータ用のエラー訂正情報（ＥＣＣ）を持っているデータと、エラー訂正情報がないフォーマットのデータがあり、後者のデータを読み取る場合には、データの信頼性が低くなるのを防止するために、データ再生装置が実現可能な最大の再生速度よりも低い再生速度でデータの再生を行う場合もある。
【００３４】
（ステップＳ１０６）再生速度制御手段１０６は、第３の再生速度によりディスク１００のデータを再生するように再生手段１０１を制御する。
なお、この第３の再生速度は、前記第１の再生速度よりも速く、前記第２の再生速度よりも遅い再生速度である。
【００３５】
（ステップＳ１０７）再生手段１０１は、出力先判別手段１０５の指示に基づいて、再生したデータを処理手段１０３に出力する。
なお、この再生手段１０１による再生速度の制御は、たとえば、ディスク１００上に同心円状もしくは螺旋状に形成されたトラックにデータが角速度一定（Ｃｏｎｓｔａｎｔ  Ａｎｇｕｌａｒ  Ｖｅｌｏｃｉｔｙ、以下ＣＡＶと称する。）で記録されている場合は、ディスクの回転速度を変化させることによって、また、ディスク１００上に同心円状もしくは螺旋状に形成されたトラックにデータが線速度一定（Ｃｏｎｓｔａｎｔ  Ｌｉｎｅａｒ  Ｖｅｌｏｃｉｔｙ、以下ＣＬＶと称する。）で記録されている場合は、再生線速度もしくはディスクの回転速度を変化させることによって再生速度の制御を行なう。
【００３６】
次に、本発明の実施の形態１におけるデータ再生装置の具体例について説明する。
ディスク１００上に、ＣＤ−ＲＯＭ規格のデータのみが記録されている場合には、出力先判別手段１０５により再生したデータの出力先の判別が行なわれ、再生したデータを処理手段１０３に出力する旨の指示が再生手段１０１、及び再生速度制御手段１０６に出力される。再生速度制御手段は、出力先判別手段１０５からの指示に基づいて常に高速な第２の再生速度によりディスク１００の再生を行なうよう再生手段１０１を制御する。また、再生手段１０１は、再生したデータを出力先判別手段１０５の指示に従い、処理手段１０３に出力する。
【００３７】
次に、ディスク１００上に、ＣＤ−ＤＡ規格の音声データのみが記録されている場合には、出力先判別手段１０５により再生したデータの出力先の判別が行なわれ、再生したデータを出力手段である音声出力手段１０４に出力する旨の指示が再生手段１０１、及び再生速度制御手段１０６に出力される。再生速度制御手段は、出力先判別手段１０５からの指示に基づいて常に第１の再生速度によりディスク１００の再生を行なうよう再生手段１０１を制御する。また、再生手段１０１は、再生したデータを出力先判別手段１０５の指示に従い、出力手段である音声出力手段１０４に出力する。
【００３８】
次に、ディスク１００上に、ＣＤ−ＲＯＭ規格のデータと、ＣＤ−ＤＡ規格の音声データが混在して記録されている場合には、出力先判別手段１０５により再生したデータの出力先の判別が行なわれ、再生速度制御手段１０６は、出力先判別手段１０５の判別結果に基づいてディスク１００の再生速度を制御する。
【００３９】
例えば、最初に、ＣＤ−ＲＯＭ規格のデータを再生する場合には、その旨を出力先判別手段１０５が判別し、再生したデータを処理手段１０３に出力する旨の指示が再生手段１０１、及び再生速度制御手段１０６に出力される。再生速度制御手段は、出力先判別手段１０５からの指示に基づいて高速な第２の再生速度によりディスク１００の再生を行なうよう再生手段１０１を制御する。また、再生手段１０１は、再生したデータを出力先判別手段１０５の指示に従い、処理手段１０３に出力する。
【００４０】
この結果、ＣＤ−ＤＡ規格の音声データとＣＤ−ＲＯＭ規格のデータが混在するディスクで、ＣＤ−ＲＯＭ規格のデータのみしか再生しない場合や、最初ＣＤ−ＲＯＭ規格のデータの再生のみを行う間は、ドライブの持つ最大速度で再生を行うことができる。
【００４１】
次に、ＣＯ−ＲＯＭ規格のデータを再生した後に、ＣＤ−ＤＡ規格の音声データの再生を行う場合には、その旨を出力先判別手段１０５が判別し、再生したデータを出力手段である音声出力手段１０４に出力する旨の指示が再生手段１０１、及び再生速度制御手段１０６に出力される。再生速度制御手段は、出力先判別手段１０５からの指示に基づいて第１の再生速度によりディスク１００の再生を行なうよう再生手段１０１を制御する。また、再生手段１０１は、再生したデータを出力先判別手段１０５の指示に従い、出力手段である音声出力手段１０４に出力する。
【００４２】
また、前述したＣＤ−ＤＡ規格の音声データを再生した後に、再びＣＤ−ＲＯＭ規格のデータを再生する場合には、その旨を出力先判別手段１０５が判別し、再生したデータを処理手段１０３に出力する旨の指示が再生手段１０１、及び再生速度制御手段１０６に出力される。再生速度制御手段は、出力先判別手段１０５からの指示に基づいて前記第１の再生速度よりも速く前記第２の再生速度よりも遅い第３の再生速度でディスク１００の再生を行なうよう再生手段１０１を制御する。また、再生手段１０１は、再生したデータを出力先判別手段１０５の指示に従い、処理手段１０３に出力する。
【００４３】
このように、第１の再生速度によりディスクの再生を行なった後に、ＣＤ−ＲＯＭ規格のデータの再生を行なう場合には、最も速い第２の再生速度で再生を行なわず、第３の再生速度により再生を行なうことにより、第１の再生速度と第２の再生速度を相互に切り替える場合と比較して、第１の再生速度と第３の再生速度を切り替える方が消費電力、発熱が小さくて済むとともに、再生速度の切り替えに要する時間を短くすることができる。また、その後、更にＣＤ−ＤＡ規格の音声データを再生する場合においても、データの再生速度を第１の再生速度に切り替えるのに要する消費電力や発熱を小さくできるとともに、再生速度の切り替えに要する時間を短くすることができる。
【００４４】
また、この第３の再生速度を第１の再生速度とほぼ等しくした場合には、より消費電力、発熱を小さく、更に速度切り替えに要する時間を短縮することができる。特に、ＣＤ−ＤＡ規格の音声データの再生を行なう場合において、第１の再生速度としてディスク１００の規格により予め決められた再生速度よりも速い速度でデータの再生を行なう場合には、ＣＤ−ＲＯＭ規格のデータを読み取る際の再生速度の低下が小さいので効果的である。
【００４５】
（実施の形態２）
次に、本発明の実施の形態２によるデータ再生装置、及びデータ再生方法について図３、図４を用いて説明する。本発明の実施の形態２によるデータ再生装置、及びデータ再生方法は、ディスクが交換された後に処理部１０３内に一旦蓄積するデータであるＣＤ−ＲＯＭ規格のデータを再生する場合には、常に第２の再生速度によりディスク１００の再生を行なう点において、前述した実施の形態１によるデータ再生装置、及びデータ再生方法と相違する。なお、前述した実施の形態１と同じ構成要素については同じ符号を用いて、その説明を省略する。
【００４６】
図３は、本発明の実施の形態２によるデータ再生装置の一例を示したブロック図である。
図３において、本発明によるデータ再生装置は、再生手段１０１と、制御手段１０２と、処理手段１０３と、音声出力手段１０４と、記録媒体移動手段２０１と、記録媒体交換検出手段２０２とからなる。
記録媒体移動手段２０１は、記録媒体であるディスク１００をデータ再生装置内部に再生可能な状態に設置するとともに、ディスク１００の交換等を行なうためディスク１００をデータ再生装置外部に排出する。
記録媒体交換検出手段２０２は、記録媒体移動手段２０１がディスクを排出、再設置したことを検出し、ディスク１００を交換した旨の信号を制御手段１０２内の再生速度制御手段１０６に出力する。
【００４７】
次に、動作について説明する。
図４は本発明の実施の形態２によるデータ再生方法を示したフローチャートである。
【００４８】
（ステップＳ１０１）出力先判別手段１０５は、再生手段１０１により再生するデータを処理手段１０３に出力するのか、或いは出力手段である音声出力手段１０４に出力するのかを、再生するデータの内容に基づいて判別する。具体的には、例えば、再生するデータが順次変換して出力するＣＤ−ＤＡ規格の音楽データなどである場合には、出力手段である音声出力手段１０４に出力するデータであると判別し、プログラムなどの処理部１０３に一旦蓄積するデータであるＣＤ−ＲＯＭ規格のデータである場合には、処理手段１０３に出力するデータであると判別する。
出力先判別手段１０５が、再生するデータを出力手段である音声出力手段１０４に出力すると判別した場合には、ステップＳ１０２に行く。一方、出力先判別手段１０５が、再生するデータを処理手段１０３に出力すると判別した場合には、ステップＳ１０４に行く。
【００４９】
（ステップＳ１０２）再生速度制御手段１０６は、第１の再生速度によりディスク１００のデータを再生するように再生手段１０１を制御する。
なお、この第１の再生速度は、予めディスク１００の規格により決められた音声データの再生速度と同一の速度で再生を行うものや、予め決められた再生速度よりも速い速度でデータの再生を行なうものがある。なお、前記予め決められた再生速度よりも速い速度でデータの再生を行なう場合には、読み取ったディスク１００のデータを再生手段１０１が有するバッファメモリ内に蓄え、順次、音声出力手段１０４に予め決められた速度でデータを送り出し、再生を行う。これにより、再生手段１０１が振動等の外的要因や、ディスク１００の欠陥等により一時的にデータの読み出しができなくなった場合でも、前記バッファメモリ内に蓄えられたデータを順次、音像出力手段１０４に送り続けることができ、出力データの途切れを防止することができる。
【００５０】
（ステップＳ１０３）再生手段１０１は、出力先判別手段１０５の指示に基づいて、第１の再生速度により再生されたデータを出力手段である音声出力手段１０４に出力する。
【００５１】
（ステップＳ２０１）再生速度制御手段１０６は、データの再生がディスク１００を交換後に行なうものであるか否かを判断する。即ち、記録媒体交換検出手段２０２から出力されたディスク１００を交換した旨の信号を再生速度制御手段１０６が受け付けた後であって、その後に行われた最初のデータ再生か否かの判断を行なう。
ディスク１００の交換後に行われたデータ再生でない場合には、ステップＳ１０４に行き、ディスク１００の交換後に行われたデータ再生であると判断した場合は、ステップＳ１０５に行く。
【００５２】
（ステップＳ１０４）再生速度制御手段１０６は、前記第１の再生速度により再生した後であるか否かの判断を行なう。前記第１の速度で再生した後でなければステップＳ１０５に行き、第１の速度で再生後であればステップＳ１０６に行く。なお、再生するデータの前に第１の再生速度によりディスク１００を再生したか否かは、再生速度制御手段１０６が記憶しているものとする。
【００５３】
（ステップＳ１０５）再生速度制御手段１０６は、第２の再生速度によりディスク１００のデータを再生するように再生手段１０１を制御する。
なお、この第２の再生速度は、一般的に、データ再生装置が実現可能な最大の再生速度である。ただし、ＣＤ−ＲＯＭ規格のディスクの場合、プログラムやデータ用のエラー訂正情報（ＥＣＣ）を持っているデータと、エラー訂正情報がないフォーマットのデータがあり、後者のデータを読み取る場合には、データの信頼性が低くなるのを防止するために、データ再生装置が実現可能な最大の再生速度よりも低い再生速度でデータの再生を行う場合もある。
【００５４】
（ステップＳ１０６）再生速度制御手段１０６は、第３の再生速度によりディスク１００のデータを再生するように再生手段１０１を制御する。
なお、この第３の再生速度は、前記第１の再生速度よりも速く、前記第２の再生速度よりも遅い再生速度である。
【００５５】
（ステップＳ１０７）再生手段１０１は、出力先判別手段１０５の指示に基づいて、再生したデータを処理手段１０３に出力する。
なお、この再生手段１０１による再生速度の制御は、たとえば、ディスク１００上に同心円状もしくは螺旋状に形成されたトラックにデータが角速度一定（Ｃｏｎｓｔａｎｔ  Ａｎｇｕｌａｒ  Ｖｅｌｏｃｉｔｙ、以下ＣＡＶと称する。）で記録されている場合は、ディスクの回転速度を変化させることによって、また、ディスク１００上に同心円状もしくは螺旋状に形成されたトラックにデータが線速度一定（Ｃｏｎｓｔａｎｔ  Ｌｉｎｅａｒ  Ｖｅｌｏｃｉｔｙ、以下ＣＬＶと称する。）で記録されている場合は、再生線速度もしくはディスクの回転速度を変化させるよって再生速度の制御を行なう。
【００５６】
このように、第１の再生速度によりディスクの再生を行なった後に、処理部１０３内に一旦蓄積するデータであるＣＤ−ＲＯＭ規格のデータ等の再生を行なう場合には、最も速い第２の再生速度で再生を行なわず、第３の再生速度により再生を行なうことにより、第１の再生速度と第２の再生速度を相互に切り替える場合と比較して、第１の再生速度と第３の再生速度を切り替える方が消費電力、発熱が小さくて済むとともに、再生速度の切り替えに要する時間を短くすることができる。また、その後、更に順次変換して出力するＣＤ−ＤＡ規格の音声データ等を再生する場合においても、データの再生速度を第１の再生速度に切り替えるのに要する消費電力や発熱を小さくできるとともに、再生速度の切り替えに要する時間を短くすることができる。
【００５７】
また、ディスク１００を交換後の処理部１０３に、一旦蓄積するＣＤ−ＲＯＭ規格のデータ等再生時には、第１の再生速度によりデータの再生を行った後であっても、最も速い第２の再生速度によりデータの再生を行なうことにより、ディスクの交換後、最初に処理部１０３に一旦蓄積するＣＤ−ＲＯＭ規格のデータの再生を行う場合には、再生速度を最も速い前記第２の再生速度とすることができ、ドライブのパフォーマンスを向上することができる。特に、ディスク１００の交換後に処理部１０３に一旦蓄積するＣＤ−ＲＯＭ規格のデータのみを再生する場合に、常に最も速い第２の再生速度によりディスクの再生を行なえるため効果的である。
【００５８】
（実施の形態３）
次に、本発明の実施の形態３によるデータ再生装置、及びデータ再生方法について図５、図６を用いて説明する。本発明の実施の形態３によるデータ再生装置、及びデータ再生方法は、再生手段が一定時間、順次変換して出力するＣＤ−ＤＡ規格の音声データ等を再生しなかった場合には、再生するデータ中に第１の再生速度で再生を行なうＣＤ−ＤＡ規格の音声データ等の再生頻度が少ないと判断し、その後、順次変換して出力するＣＤ−ＤＡ規格の音声データ等の再生した後に処理部１０３に一旦蓄積するデータであるＣＤ−ＲＯＭ規格のデータを再生する場合には、第３の再生速度に変えて、前記第３の再生速度よりも速く、前記第２の再生速度よりも遅い第４の再生速度で再生を行なう点において、前述した実施の形態２によるデータ再生装置、及びデータ再生方法と相違する。なお、前述した実施の形態２と同じ構成要素については同じ符号を用いて、その説明を省略する。
【００５９】
図５は、本発明の実施の形態３によるデータ再生装置の一例を示したブロック図である。
図５において、本発明によるデータ再生装置は、再生手段１０１と、制御手段１０２と、処理手段１０３と、音声出力手段１０４と、記録媒体移動手段２０１と、記録媒体交換検出手段２０２とからなる。
制御手段１０２は、出力先判別手段１０５、及び再生速度制御手段１０６に加え、再生手段１０１が一定時間、出力手段である音声出力手段１０４に再生したデータを出力しなかったことを再生速度制御手段１０６に知らせる通知信号を出力するタイマ手段３０１を備える。
【００６０】
次に、動作について説明する。
図４は本発明の実施の形態３によるデータ再生方法を示したフローチャートである。
【００６１】
（ステップＳ１０１）出力先判別手段１０５は、再生手段１０１により再生するデータを処理手段１０３に出力するのか、或いは出力手段である音声出力手段１０４に出力するのかを、再生するデータの内容に基づいて判別する。具体的には、再生するデータが順次変換して出力するＣＤ−ＤＡ規格の音楽データなどである場合には、出力手段である音声出力手段１０４に出力するデータであると判別し、プログラムなどの処理部１０３に一旦蓄積するデータであるＣＤ−ＲＯＭ規格のデータである場合には、処理手段１０３に出力するデータであると判別する。
出力先判別手段１０５が、再生するデータを出力手段である音声出力手段１０４に出力すると判別した場合には、ステップＳ１０２に行く。一方、出力先判別手段１０５が、再生するデータを処理手段１０３に出力すると判別した場合には、ステップＳ１０４に行く。
【００６２】
（ステップＳ１０２）再生速度制御手段１０６は、第１の再生速度によりディスク１００のデータを再生するように再生手段１０１を制御する。
なお、この第１の再生速度は、予めディスク１００の規格により決められた音声データの再生速度と同一の速度で再生を行うものや、予め決められた再生速度よりも速い速度でデータの再生を行なうものがある。なお、前記予め決められた再生速度よりも速い速度でデータの再生を行なう場合には、読み取ったディスク１００のデータを再生手段１０１が有するバッファ内に蓄え、順次、音声出力手段１０４に予め決められた速度でデータを送り出し、再生を行う。これにより、再生手段１０１が振動等の外的要因や、ディスク１００の欠陥等により一時的にデータの読み出しができなくなった場合でも、前記バッファ内に蓄えられたデータを順次、音声出力手段１０４に送り続けることができ、出力データの途切れを防止することができる。
【００６３】
（ステップＳ１０３）再生手段１０１は、出力先判別手段１０５の指示に基づいて、第１の再生速度により再生されたデータを出力手段である音声出力手段１０４に出力する。
【００６４】
（ステップＳ２０１）再生速度制御手段１０６は、データの再生がディスク１００を交換後に行なうものであるか否かを判断する。即ち、記録媒体交換検出手段２０２から出力されたディスク１００を交換した旨の信号を再生速度制御手段１０６が受け付けた後であって、その後に行われた最初のデータ再生か否かの判断を行なう。
ディスク１００の交換後に行われたデータ再生でない場合には、ステップＳ１０４に行き、ディスク１００の交換後に行われたデータ再生であると判断した場合は、ステップＳ１０５に行く。
【００６５】
（ステップＳ１０４）再生速度制御手段１０６は、前記第１の再生速度により再生した後であるか否かの判断を行なう。前記第１の速度で再生した後でなければステップＳ１０５に行き、第１の速度で再生後であればステップＳ１０６に行く。なお、再生するデータの前に第１の再生速度によりディスク１００を再生したか否かは、再生速度制御手段１０６が記憶しているものとする。
【００６６】
（ステップＳ１０５）再生速度制御手段１０６は、第２の再生速度によりディスク１００のデータを再生するように再生手段１０１を制御する。
なお、この第２の再生速度は、一般的に、データ再生装置が実現可能な最大の再生速度である。ただし、ＣＤ−ＲＯＭ規格のディスクの場合、プログラムやデータ用のエラー訂正情報（ＥＣＣ）を持っているデータと、エラー訂正情報がないフォーマットのデータがあり、後者のデータを読み取る場合には、データの信頼性が低くなるのを防止するために、データ再生装置が実現可能な最大の再生速度よりも低い再生速度でデータの再生を行う場合もある。
【００６７】
（ステップＳ３０１）再生速度制御手段１０６は、再生手段１０１が一定時間、出力手段である音声出力手段１０４に再生したデータを出力しなかったことを知らせる通知信号をタイマ手段３０１から受信したか否かを判断する。即ち、タイマ手段３０１から出力される通知信号を受信した後であるか否かの判断を行なう。
タイマ手段３０１から出力される通知信号を受信した後である場合には、ステップＳ３０１に行き、タイマ手段３０１から出力される通知信号を受信した後でない場合は、ステップＳ１０６に行く。
【００６８】
（ステップＳ３０２）再生速度制御手段１０６は、第４の再生速度によりディスク１００のデータを再生するように再生手段１０１を制御する。
なお、この第４の再生速度は、前記第３の再生速度よりも速く、前記第２の再生速度よりも遅い再生速度である。
【００６９】
（ステップＳ１０６）再生速度制御手段１０６は、第３の再生速度によりディスク１００のデータを再生するように再生手段１０１を制御する。
なお、この第３の再生速度は、前記第１の再生速度よりも速く、前記第２の再生速度よりも遅い再生速度である。
【００７０】
（ステップＳ１０７）再生手段１０１は、出力先判別手段１０５の指示に基づいて、再生したデータを処理手段１０３に出力する。
なお、この再生手段１０１による再生速度の制御は、たとえば、ディスク１００上に同心円状もしくは螺旋状に形成されたトラックにデータが角速度一定（Ｃｏｎｓｔａｎｔ  Ａｎｇｕｌａｒ  Ｖｅｌｏｃｉｔｙ、以下ＣＡＶと称する。）で記録されている場合は、ディスクの回転速度を変化させることによって、また、ディスク１００上に同心円状もしくは螺旋状に形成されたトラックにデータが線速度一定（Ｃｏｎｓｔａｎｔ  Ｌｉｎｅａｒ  Ｖｅｌｏｃｉｔｙ、以下ＣＬＶと称する。）で記録されている場合は、再生線速度もしくはディスクの回転速度を変化させることによって再生速度の制御を行なう。
【００７１】
このように、第１の再生速度によりディスクの再生を行なった後に、処理部１０３に一旦蓄積するデータであるＣＤ−ＲＯＭ規格のデータ等の再生を行なう場合には、最も速い第２の再生速度で再生を行なわず、第３の再生速度により再生を行なうことにより、第１の再生速度と第２の再生速度を相互に切り替える場合と比較して、第１の再生速度と第３の再生速度を切り替える方が消費電力、発熱が小さくて済むとともに、再生速度の切り替えに要する時間を短くすることができる。また、その後、更に順次変換して出力するＣＤ−ＤＡ規格の音声データ等を再生する場合においても、データの再生速度を第１の再生速度に切り替えるのに要する消費電力や発熱を小さくできるとともに、再生速度の切り替えに要する時間を短くすることができる。
【００７２】
また、再生手段１０１が一定時間、順次変換して出力するＣＤ−ＤＡ規格の音声データ等を再生しなかった場合には、第１の再生速度で再生を行なうＣＤ−ＤＡ規格の音声データ等の再生頻度が少ないと判断し、その後、前記第１の再生速度によりディスクのデータを再生した後に処理部１０３に一旦蓄積するＣＤ−ＲＯＭ規格のデータを再生する場合には、第３の再生速度に変えて、第４の再生速度により再生を行い、ドライブのパフォーマンスを向上させることができる。
【００７３】
また、この第４の再生速度を前記第２の再生速度とほぼ等しくした場合には、よりドライブのパフォーマンスを向上させることができる。特に、順次変換して出力するＣＤ−ＤＡ規格の音声データ等をほとんど再生しない場合には、電力消費量の増大や発熱の原因である再生速度の切り替えをほとんど行なわずに済むため効果的である。
【００７４】
また、本実施の形態３は、ディスク１００が交換されたか否かをディスク１００の再生速度の制御を行なう一要素とするものについて説明したが、ディスク１００が交換されたか否かによってディスク１００の再生速度の制御を行なわず、再生速度制御手段１０６が通知信号を受信したか否かによってのみディスク１００の再生速度の制御を行なうものであってよい。
【００７５】
（実施の形態４）
本発明の実施の形態４によるデータ再生装置、及びデータ再生方法は、順次変換して出力するＣＤ−ＤＡ規格の音声データ等の再生した後に再生手段が一定時間データの再生を行なわなかった後、最初に処理部１０３に一旦蓄積するＣＤ−ＲＯＭ規格のデータ等の再生を行なう場合には、第３の再生速度に変えて、前記第３の再生速度よりも速く、前記第２の再生速度よりも遅い第４の再生速度で再生を行なう。即ち、データ再生装置の電力消費量増大や発熱の原因となる再生速度の変更を行う頻度が少ない場合に、ドライブのパフォーマンスをあげるためデータの再生速度を速くするものである。
【００７６】
なお、本実施の形態４のデータ再生装置、及びデータ再生方法は、前述した実施の形態３におけるタイマ手段３０１が、再生手段１０１が一定時間、処理手段１０３、及び出力手段である音声出力手段１０４に再生したデータを出力しなかったことを再生速度制御手段１０６に知らせる通知信号を出力する点においてのみ前記実施の形態３と相違するものであり、その構成要素、及び動作は前述した実施の形態３と同様であるため説明を省略する。
【００７７】
本実施の形態４によるデータ再生装置、及びデータ再生方法によれば、さらに、順次変換して出力するＣＤ−ＤＡ規格の音声データ等の再生した後に再生手段が一定時間データの再生を行なわなかった後、最初に処理部１０３に一旦蓄積するＣＤ−ＲＯＭ規格のデータの再生を行なう場合に第３の再生速度に変えて、第４の再生速度で再生を行なうことによりドライブのパフォーマンスを向上させることができる。
【００７８】
また、この第４の再生速度を前記第２の再生速度とほぼ等しくした場合には、よりドライブのパフォーマンスを向上させることができる。特に、順次変換して出力するＣＤ−ＤＡ規格の音声データをほとんど再生しない場合には、電力消費量の増大や発熱の原因である再生速度の切り替えをほとんど行なわずに済むため効果的である。
【００７９】
また、本実施の形態４は、ディスク１００が交換されたか否かをディスク１００の再生速度の制御を行なう一要素とするものについて説明したが、ディスク１００が交換されたか否かによってディスク１００の再生速度の制御を行なわず、再生速度制御手段１０６が通知信号を受信したか否かによってのみディスク１００の再生速度の制御を行なうものであってよい。
【００８０】
なお、前記各実施の形態では、ディスク状の記録媒体を再生するデータ再生装置について説明したが、例えば、ディジタルオーディオテープ等、他の記録方法を用いる記録媒体を再生するデータ再生装置であっても良い。
【００８１】
また、前記各実施形態では、通常のプログラム等の高速に読み取り、一旦蓄積するデータをデータ再生装置内の処理部１０３内に蓄積するものについて説明したが、例えば、高速に読み取ったプログラム等のデータをデータ再生装置外部のホストコンピュータ等に送信し、当該ホストコンピュータが処理を行なうものであってもよい。
【００８２】
また、前記各実施の形態で示したデータ再生装置、及びデータ再生方法を実現するプログラムを記録した記録媒体を、システム、或いは方法に供給し、そのシステム、或いは方法におけるＣＰＵ等の主処理部が該記録媒体に格納されたプログラムを読み出し実行することによっても、前記各実施の形態で説明した効果と同様の効果を得ることができる。なお、プログラムを記録する記録媒体としては、例えば、フロッピーディスク、ハードディスク、光ディスク、磁気ディスク、光磁気ディスク、ＣＤ−ＲＯＭ、磁気テープ、パンチカード、不揮発性のメモリカード、ＲＯＭ等を用いることができる。
【００８３】
【発明の効果】
本発明にかかるデータ再生装置、データ再生方法、及び記録媒体によれば、データ再生装置の電力消費量増大や発熱の原因となる再生速度の変更を行う頻度が少ない場合に、データの再生速度を速くすることができ、ドライブのパフォーマンスをあげることが可能になるとともに、エラー訂正情報がないフォーマットのデータを再生する場合には、前記第２の再生速度としてデータ再生装置が実現可能な最大の再生速度よりも低い再生速度を用いることができ、データの信頼性が低くなるのを防止することが可能になるという効果が得られる。
【図面の簡単な説明】
【図１】本発明の実施の形態１によるデータ再生装置の一例を示したブロック図である。
【図２】本発明の実施の形態１によるデータ再生方法を示したフローチャートである。
【図３】本発明の実施の形態２によるデータ再生装置の一例を示したブロック図である。
【図４】本発明の実施の形態２によるデータ再生方法を示したフローチャートである。
【図５】本発明の実施の形態３によるデータ再生装置の一例を示したブロック図である。
【図６】本発明の実施の形態３によるデータ再生方法を示したフローチャートである。
【符号の説明】
１００    ディスク
１０１    再生手段
１０２    制御手段
１０３    処理手段
１０４    音声出力手段
１０５    出力先判別手段
１０６    再生速度制御手段
２０１    記録媒体移動手段
２０２    記録媒体交換検出手段
３０１    タイマ手段
【図１】
0003544504.tif 000002
【図２】
0003544504.tif 000003
【図３】
0003544504.tif 000004
【図４】
0003544504.tif 000005
【図５】
0003544504.tif 000006
【図６】
0003544504.tif 000007